【手続補正書】
【提出日】平成29年5月22日(2017.5.22)
【手続補正１】
【補正対象書類名】明細書
【補正対象項目名】０００９
【補正方法】変更
【補正の内容】
【０００９】
本発明は、化粧料が収容されたカートリッジ体が取り付けられて用いられるカートリッジ式化粧料容器であって、前記カートリッジ体が着脱自在に取り付けられる本体筒と、前記本体筒に相対回転可能に設けられる駆動体と、外周に雄ねじが形成され、前記本体筒と前記駆動体との相対回転によって繰り出されて前記カートリッジ体内の化粧料を押し出す押棒と、前記押棒の外周に設けられる雌ねじ部材と、前記雌ねじ部材に形成され、前記カートリッジ体が前記本体筒に取り付けられる際に前記雌ねじ部材が前記カートリッジ体によって押圧されることにより、前記雄ねじと螺合する雌ねじ部と、前記雌ねじ部材を、前記本体筒の前端開口方向に付勢する付勢部材と、を備え、前記本体筒は、前記雌ねじ部と前記雄ねじとの螺合が解除される方向への前記押棒の移動を制限する制限部を有することを特徴とする。
【手続補正２】
【補正対象書類名】明細書
【補正対象項目名】００７４
【補正方法】変更
【補正の内容】
【００７４】
近接ガイド部２５の傾斜面２５ａは、カートリッジ式化粧料容器１が組み立てられた状態において、押棒６０に対して雌ねじ部材５０の雌ねじ部５３側の端部２５ｂが、雌ねじ部５３とは反対側の端部２５ｃよりも前端開口２２側に位置するように傾斜する。そのため、雌ねじ部材５０は、カートリッジ外筒１０が本体筒２０に取り付けられる際には、カートリッジ外筒１０により押圧されて軸方向に移動するとともに、雌ねじ部５３を雄ねじ６１ａに近接させる方向に案内される。このように、近接ガイド部２５は、カートリッジ外筒１０が本体筒２０に取り付けられ雌ねじ部材５０がカートリッジ外筒１０によって押圧された際に雌ねじ部５３と雄ねじ６１ａとが螺合する方向に雌ねじ部材５０を案内する。
【手続補正３】
【補正対象書類名】明細書
【補正対象項目名】００８４
【補正方法】変更
【補正の内容】
【００８４】
離間ガイド部４４の傾斜面４４ａは、カートリッジ式化粧料容器１が組み立てられた状態において、押棒６０に対して雌ねじ部材５０の雌ねじ部５３側の端部４４ｃが、雌ねじ部５３とは反対側の端部４４ｄよりも前端開口４１側に位置するように傾斜する。そのため、雌ねじ部材５０は、カートリッジ外筒１０が本体筒２０から取り外される際には、コイルばね７により付勢されて軸方向に移動するとともに、雌ねじ部５３を雄ねじ６１ａから離間させる方向に案内される。このように、離間ガイド部４４は、カートリッジ外筒１０による雌ねじ部材５０への押圧が解除された際に雌ねじ部５３と雄ねじ６１ａとの螺合が解除する方向に雌ねじ部材５０を案内する。
【手続補正４】
【補正対象書類名】明細書
【補正対象項目名】０１０９
【補正方法】変更
【補正の内容】
【０１０９】
突壁部４６が螺合解除方向への押棒６０の移動を制限するので、雌ねじ部材５０が本体外筒２１の近接ガイド部２５により押棒６０に近接して押棒６０が雌ねじ部材５０により押されても、押棒６０は移動しない。したがって、雄ねじ６１ａと雌ねじ部５３との螺合は、弱まりにくい。
【手続補正５】
【補正対象書類名】明細書
【補正対象項目名】０１２３
【補正方法】変更
【補正の内容】
【０１２３】
カートリッジ式化粧料容器１０１は、カートリッジ体２が取り付けられて用いられるものである。カートリッジ式化粧料容器１０１は、図１２に示すように、カートリッジ体２が着脱自在に取り付けられる本体筒１２０と、本体筒１２０に対して同軸に、かつ相対回転可能に取り付けられる駆動体１３０と、押棒６０と、雌ねじ部５３が内周に形成される雌ねじ部材１５０と、雌ねじ部材１５０及び押棒６０を付勢する付勢部材としてのコイルばね１０７とを備える。本体筒１２０は、駆動体１３０が相対回転可能に取り付けられる本体外筒１２１と、本体外筒１２１の内周に挿入される本体内筒４０とを備える。
【手続補正６】
【補正対象書類名】明細書
【補正対象項目名】０１２７
【補正方法】変更
【補正の内容】
【０１２７】
図１４及び図１５に示すように、本体外筒１２１は、前端開口２２と後端開口２９とを有する略円筒状に形成される。前端開口２２の近傍の内周に、環状の嵌合凹部２３が形成される。後端開口２９の近傍の内周に、嵌合凹部２８が形成される。本体外筒１２１の内周には、近接ガイド部２５とガイド壁部２６とが形成される。
【手続補正７】
【補正対象書類名】明細書
【補正対象項目名】０１４５
【補正方法】変更
【補正の内容】
【０１４５】
ラチェット部材８０を本体外筒１２１に対して回転許容方向に回転させようとすると、ラチェット歯８１ｂの傾斜面がラチェット溝２４の傾斜面から径方向内側の力を受け、支持部８１ａが径方向内側に撓む。支持部８１ａの撓みにより、ラチェット歯８１ｂが径方向内側に移動し、ラチェット歯８１ｂの傾斜面がラチェット溝２４の傾斜面を乗り越える。その結果、回転許容方向への回転が許容される。
【手続補正８】
【補正対象書類名】明細書
【補正対象項目名】０１４９
【補正方法】変更
【補正の内容】
【０１４９】
ラチェット部材８０の前端面（本体部８１の前端面）８０ａは、雌ねじ部材１５０の後端面５０ｂに当接する。ラチェット部材８０の後端面（嵌入部８２の後端面）８０ｂには、コイルばね１０７が当接する。つまり、コイルばね１０７の付勢力は、ラチェット部材８０を介して雌ねじ部材１５０に作用する。
【手続補正９】
【補正対象書類名】明細書
【補正対象項目名】０１５０
【補正方法】変更
【補正の内容】
【０１５０】
ラチェット部材８０は、カートリッジ外筒１０が本体筒１２０に取り付けられるときに、コイルばね１０７を圧縮して収縮させながらカートリッジ外筒１０及び雌ねじ部材１５０とともに移動する。ラチェット部材８０は、カートリッジ外筒１０が本体筒１２０から取り外されるときに、コイルばね１０７の付勢力によって、カートリッジ外筒１０及び雌ねじ部材１５０とともに移動する。
【手続補正１０】
【補正対象書類名】明細書
【補正対象項目名】０１５３
【補正方法】変更
【補正の内容】
【０１５３】
駆動体１３０の嵌入部１３１は、駆動体３０の嵌入部３１と比べて短く形成される。また、雌ねじ部材１５０の挿通部１５２は、雌ねじ部材５０の挿通部５２と比べて短く形成される。さらに、コイルばね１０７の自由長は、コイルばね７の自由長と比べて短い。そのため、雌ねじ部材１５０の雌ねじ部５３から駆動体１３０の底面３７までの寸法は、第１の実施形態におけるカートリッジ式化粧料容器の対応する寸法と略等しい。したがって、第１の実施形態で用いた押棒６０を本実施形態でも用いることができる。
【手続補正１１】
【補正対象書類名】明細書
【補正対象項目名】０１９４
【補正方法】変更
【補正の内容】
【０１９４】
次に、尾栓９０を保持部材３７０の後端開口１１ｂに通して保持部材３７０の内周に挿入し、尾栓９０の嵌合凸部９１とカートリッジ外筒３１０の嵌合凹部３１７ｄとを嵌合する。これにより、尾栓９０がカートリッジ外筒３１０に組み付けられ、カートリッジ外筒３１０からの保持部材３７０の抜けが防止される。
【手続補正１２】
【補正対象書類名】明細書
【補正対象項目名】０２００
【補正方法】変更
【補正の内容】
【０２００】
また、先端面が軸方向に対して傾斜した化粧料は、化粧料の先端面の傾斜方向がカートリッジ外筒１１０に対して一定になるように、回転せずに押し出されることが好ましい。カートリッジ体１０２では、保持部材１７０とカートリッジ外筒１１０との相対回転が拘束されるので、化粧料を回転させずに押し出すことができる。したがって、カートリッジ体１０２は、先端面が軸方向に対して傾斜した化粧料に対してより好適である。
【手続補正１３】
【補正対象書類名】明細書
【補正対象項目名】０２０３
【補正方法】変更
【補正の内容】
【０２０３】
また、押棒６０を繰り戻し可能なカートリッジ式化粧料容器１にカートリッジ体３０２を挿着して使用すれば、コイルばね９の付勢力により、化粧料挿入部３７１に挿入された化粧料を繰り戻すことができる。
【手続補正１４】
【補正対象書類名】図面
【補正対象項目名】図２１
【補正方法】変更
【補正の内容】
【図２１】
2017035235.tif 000001
【手続補正１５】
【補正対象書類名】図面
【補正対象項目名】図２２
【補正方法】変更
【補正の内容】
【図２２】
2017035235.tif 000002